(57)【要約】【課題】ＡＤＦにおいて露光ランプが消えてしまった場合、連続してベタ黒コピーが排出されないようにする。【解決手段】ランプ異常が確定したら、スキャナユニットはランプ制御信号をＯＦＦし読み取り動作を停止し、画像形成装置ヘエラー(サービスマンコール)が送信される。画像形成装置は、コントロールパネル上にサービスマンコールを表示し、画像形成装置のプリント動作を停止することでランプ異常を知らせる。【選択図】図４
2008109652.tif 000002
【特許請求の範囲】
【請求項１】
原稿を１枚づつ取り込んで順次、原稿読取位置に搬送する搬送手段と、
前記原稿読取位置において前記搬送手段により搬送される原稿を支持する支持手段と、
前記原稿読取位置を照明する照明手段と、
前記原稿読取位置における原稿を読み取る読取手段と、
前記搬送手段により搬送される原稿が前記原稿読取位置に到達する以前に、前記読取手段にて読み取った出力データに基づいて前記照明手段の異常の有無を検知する検知手段、とを備え、
前記検知手段は前記照明手段の異常を検知した場合には、以後の原稿読取を停止することを特徴とする画像読取装置。
【請求項２】
前記検知手段は、原稿給紙以前の前記読取手段の出力データ、前記照明手段の消灯時の前記読取手段の出力データを基準とすることを特徴とする請求項１記載の画像読取装置。
【請求項３】
前記検知手段は、前記基準出力データによる前記照明手段の異常との判定と前記照明手段の点灯制御信号との論理積で、前記照明手段の異常を確定することを特徴とする請求項２記載の画像読取装置。
【請求項４】
前記照明手段は、露光ランプであり、前記搬送手段は、レジストローラであり、前記支持手段は、スルーリードガラスであり、前記読取手段は、ＣＣＤセンサであることを特徴とする請求項１記載の画像読取装置。
【請求項５】
原稿を１枚づつ取り込んで順次、原稿読取位置に搬送する搬送手段と、
前記原稿読取位置において前記搬送手段により搬送される原稿を支持する支持手段と、
前記原稿読取位置を照明する照明手段と、
前記原稿読取位置を読み取る読取手段と、
前記読取手段にて読み取った原稿の画像データに基づいて原稿の画像を被画像形成媒体に画像形成する画像形成手段と、
前記搬送手段により搬送される原稿が前記原稿読取位置に到達する以前に、前記読取手段にて読み取った出力データに基づいて前記照明手段の異常の有無を検知する検知手段、とを備え、
前記検知手段は前記照明手段の異常を検知した場合には、以後の原稿読取を停止することを特徴とする画像形成装置。
【請求項６】
原稿読取を停止後、前記画像形成手段に対して、前記照明手段のエラーを送信し、画像形成を停止させることを特徴とする請求項５記載の画像形成装置。
【請求項７】
画像形成停止後、コントロールパネル上にサービスマンコールを表示させることを特徴とする請求項６記載の画像形成装置。
【請求項８】
原稿を１枚づつ取り込んで原稿読取位置に搬送する搬送手段と、前記原稿読取位置において前記搬送手段により搬送される原稿を支持する支持手段と、前記原稿読取位置を照明する照明手段と、この照明手段により照明される前記原稿読取位置を読み取る読取手段とを有する画像読取装置に用いられる画像読取方法であって、
前記搬送手段により原稿を１枚づつ取り込んで順次原稿読取位置に搬送する搬送工程と、
前記原稿読取位置に存在する原稿の画像を前記読取手段により読み取る処理工程と、
前記搬送手段により搬送される原稿が前記原稿読取位置に到達する以前に、前記読取手段にて読み取った出力データに基づいて前記照明手段の異常の有無を検知する検知工程と、
前記検知手段が前記照明手段の異常を検知した場合には、以後の原稿読取を停止する読取停止工程を有することを特徴とする画像読取方法。
【請求項９】
前記検知工程は、原稿給紙以前の前記読取手段の出力データ、前記照明手段の消灯時の前記読取手段の出力データを基準とすることを特徴とする請求項８記載の画像読取方法。
【請求項１０】
前記検知工程は、前記基準出力データによる前記照明手段の異常との判定と前記照明手段の点灯制御信号との論理積で、前記照明手段の異常を確定することを特徴とする請求項９記載の画像読取方法。
【発明の詳細な説明】
【技術分野】
【０００１】
本発明は、複数の原稿を１枚づつ所定の読取位置に供給する自動原稿給紙装置を有する画像読取装置、画像読取方法、及び画像形成装置に関する。
【背景技術】
【０００２】
複写機などに用いられる画像読取装置には、原稿を１枚ずつ原稿読取位置に搬送する自動原稿給紙装置（ＡＤＦ）を有するものがある。ＡＤＦを有する画像読取装置では、ＡＤＦにより複数枚の原稿を連続して原稿読取位置へ搬送し、その搬送されている原稿を所定の原稿読取位置で１ラインずつ読み込むシートスルー方式による原稿の読取が実現されている。このようなシートスルー方式を行う画像読取装置では、原稿読取位置に長方形のスルーリードガラスが設けられており、そのスルーリードガラス越しに露光ランプからの光を原稿面に照射し、その反射光をレンズで集光させ、集光した光をＣＣＤラインセンサにより読み取っている。
【０００３】
シートスルー方式による原稿の読取が可能な画像読取装置では、原稿読取位置のスルーリードガラスの脇に読取画像を補正するための基準となる白基準板（シェーディング板）が設けてあるものがある。このような画像読取装置では、原稿の読み取り開始時に、シェーディング板を読み取って原稿の読取画像を補正している。
【０００４】
ＡＤＦにより連続して搬送される原稿を読み取る場合に、原稿読取位置を照射する露光ランプの光量の変化による画像の濃度が変化するのを防ぐため、所定の期間ごとにシェーディング板の読み取り動作を行うものもある(例えば、特許文献１参照）。
【特許文献１】特開２００２−２３２６５７号公報
【発明の開示】
【発明が解決しようとする課題】
【０００５】
ＡＤＦにおいて、連続して原稿を読み取っている最中に、何らかのトラブルで露光ランプが消えてしまった場合、連続してベタ黒コピーが排出されることがある。
【０００６】
そこで、本発明は上記課題を解決するものであり、露光ランプが消えてしまった場合、その異常を検知し、本体のプリント動作の停止制御を行う画像読取装置を提供することを目的とする。
【課題を解決するための手段】
【０００７】
本発明の一実施形態によれば、原稿を１枚づつ取り込んで順次、原稿読取位置に搬送する搬送手段と、
前記原稿読取位置において前記搬送手段により搬送される原稿を支持する支持手段と、
前記原稿読取位置を照明する照明手段と、
前記原稿読取位置における原稿を読み取る読取手段と、
前記搬送手段により搬送される原稿が前記原稿読取位置に到達する以前に、前記読取手段にて読み取った出力データに基づいて前記照明手段の異常の有無を検知する検知手段、とを備え、
前記検知手段は前記照明手段の異常を検知した場合には、以後の原稿読取を停止することを特徴とする画像読取装置が提供される。
【０００８】
また、本発明の別の一実施形態によれば、原稿を１枚づつ取り込んで原稿読取位置に搬送する搬送手段と、前記原稿読取位置において前記搬送手段により搬送される原稿を支持する支持手段と、前記原稿読取位置を照明する照明手段と、この照明手段により照明される前記原稿読取位置を読み取る読取手段とを有する画像読取装置に用いられる画像読取方法であって、
前記搬送手段により原稿を１枚づつ取り込んで順次原稿読取位置に搬送する搬送工程と、
前記原稿読取位置に存在する原稿の画像を前記読取手段により読み取る処理工程と、
前記搬送手段により搬送される原稿が前記原稿読取位置に到達する以前に、前記読取手段にて読み取った出力データに基づいて前記照明手段の異常の有無を検知する検知工程と、
前記検知手段が前記照明手段の異常を検知した場合には、以後の原稿読取を停止する読取停止工程を有することを特徴とする画像読取方法が提供される。
【発明の効果】
【０００９】
本発明によれば、連続して原稿を読み取っている最中に、露光ランプが消えてしまった場合であっても、ベタ黒コピーを排出しないようにすることができる。
【発明を実施するための最良の形態】
【００１０】
以下、図面を参照して、本発明を実施するための最良の形態を詳細に説明する。
【００１１】
図１は、本発明の画像読取装置に係る電子写真方式を用いた画像形成装置１の外観構成を示す外観図である。画像形成装置１は、例えばデジタル複写機である。
【００１２】
図１に示すように、画像形成装置１は，自動原稿給紙装置（ＡＤＦ；オートドキュメントフィーダ）１０を有するスキャナユニット１１と、スキャナユニット１１あるいは外部から供給された画像データに対応する画像を形成するプリンタエンジン部（画像形成手段）１２とを有している。
【００１３】
自動原稿給紙装置（ＡＤＦ）１０は、原稿を１枚ずつ所定の読取位置に供給するものである。スキャナユニット１１は、原稿の画像を光学的に読取って画像データに変換するものである。ＡＤＦ１０とスキャナユニット１１とは画像読取装置を形成するものである。
【００１４】
プリンタエンジン部１２は、感光体ドラムなどの像担持体に静電潜像を形成し、その静電潜像をトナーにより現像し、その現像したトナー像を被画像形成媒体としての用紙に転写し、その転写したトナー像を用紙に定着させる。このような構成により、画像形成装置１では、スキャナユニット１１により読み取った画像をプリンタエンジン部１２にて被画像形成媒体としての用紙に複写することが可能となっている。
【００１５】
図２は、画像形成装置１に用いられるＡＤＦ１０とスキャナユニット１１の内部構成を示す断面図である。
【００１６】
図２に示すように、画像形成装置１に用いられるＡＤＦ１０は、複数枚の原稿を載置可能な原稿トレイ２１を有している。原稿トレイ２１上の原稿の用紙は、ピックアップローラ２２により１枚ずつピックアップされる。ピックアップローラ２２によりピックアップされた原稿の用紙は、原稿を検知する原稿検知スイッチ２３により検知された後、給紙ローラ２４により給紙される。給紙ローラ２４により給紙された原稿の用紙は、レジストスイッチ２５により検知され、レジストローラ２６の手前に到達する。
【００１７】
レジストスイッチ２５は、レジストローラ２６の手前に到達したことを検知するセンサである。レジストローラ２６は、原稿の用紙を所定の原稿読取位置まで搬送するためのローラである。
【００１８】
給紙ローラ２４にて給紙された原稿の用紙は、レジストスイッチ２５によりレジストローラ２６の手前に到達したことが検知され、所定のタイミングでレジストローラ２６により所定の原稿読取位置に搬送される。また、レジストローラ２６と原稿読取位置との間には、レジストローラ２６から原稿読取位置への原稿の搬送を補助する補助ローラ２７が設けられている。
【００１９】
レジストローラ２６により原稿読取位置に搬送された原稿の画像は、ＡＤＦ１０に隣接するスキャナユニット１１により読み取られる。原稿読取位置では、スキャナユニット１１にスルーリードガラス２８が設けられている。スルーリードガラス２８のＡＤＦ１０側には、白色の白原稿ガイド板２９が設けられている。これにより、原稿読取位置では、原稿の用紙が白原稿ガイド板２９に沿ってスルーリードガラス２８上を搬送されるようになっている。
【００２０】
スルーリードガラス２８の脇に読取画像を補正するための基準となるシェーディング板３０が設けてある。
【００２１】
また、原稿読取位置においてスキャナユニット１１からは、後述するように、原稿面の画像を読み取るための光がスルーリードガラス２８を通して照射される。なお、原稿が薄い紙である場合、原稿読取位置においては、白原稿ガイド板２９の色が透けてしまうため、原稿用紙の色を忠実に再現できない可能性がある。このため、白原稿ガイド板２９は、白色のガイド板で構成されている。
【００２２】
また、スキャナユニット１１内には、第１キャリッジ４１、第２キャリッジ４２、結像レンズ４３、及びＣＣＤセンサ４４が配設されている。スキャナユニット１１の上面の一部には、ＡＤＦ１０を用いることなく、原稿を読み取る場合に原稿が直接載置される原稿ガラス台１１ａが設けられている。
【００２３】
第１キャリッジ４１には、スルーリードガラス２８面上を通過する原稿を照明する光源としての露光ランプ４５が取り付けられている。露光ランプ４５としては、例えばキセノンランプ、ＬＥＤが好適である。
【００２４】
また、第１、第２キャリッジ４１、４２には、原稿面からの反射光を所定の方向に偏向する各種ミラー４６、４７、４８が取り付けられている。
【００２５】
次に、画像形成装置１内の制御系の構成について説明する。
【００２６】
図３は、画像形成装置１内の制御系の構成を示すブロック図である。図３に示すように、画像形成装置１は、主制御部５１、コントロールパネル５２、スキャナユニット１１、及びプリンタエンジン部１２などから構成されている。
【００２７】
主制御部５１は、画像形成装置１全体の制御を司るものである。上記主制御部５１は、例えば、制御プログラムや制御データが記憶されるＲＯＭ、種々のパラメータや作業用のデータなどが記憶されるＲＡＭ、画像処理を行う画像処理部、ページメモリ、ハードディスクドライブ、及び、外部機器とのデータ通信を行う外部インターフェースなどを有している。
【００２８】
スキャナユニット１１の制御系は、図３に示すように、スキャナＣＰＵ６１、ＲＡＭ６２、ＲＯＭ６３、ＣＣＤドライバ６４、画像処理部６５、駆動機構６６、露光ランプ制御部６７、及びＡＤＦ１０により構成されている。
【００２９】
スキャナＣＰＵ６１は、スキャナユニット１１全体の制御を司るものである。また、スキャナＣＰＵ６１は、時間を計時するタイマ６１ａを有している。ＲＡＭ６２には、揮発性メモリなどにより構成され、スキャン条件や制御データなどのデータが一時的に記憶される。ＲＯＭ６３は、不揮発性メモリで構成され、ＣＰＵ６１により実行される制御プログラムや制御データなどが記憶されている。ＣＣＤドライバ６４は、ＣＣＤセンサ４４を駆動させるものであり、ＣＣＤセンサ４４からのデータを取り込む。画像処理部６５は、スキャナＣＰＵ６１による制御に基づいて画像データに対する画像処理を行うものである。駆動機構６６は、スキャナユニット１１本体内の図示しない駆動モータを駆動させる機構である。露光ランプ制御部６７は、上記露光ランプ４５の点灯制御を行うものである。
【００３０】
ＡＤＦ１０は、スキャナＣＰＵ６１に接続され、ＡＤＦ１０全体の動作を制御するＡＤＦＣＰＵ７１、及びピックアップローラ２２、給紙ローラ２４、レジストローラ２６、及び補助ローラ２７等による搬送機構を駆動させる駆動機構７２を有している。
【００３１】
次に、ＡＤＦ１０を用いたスキャナユニット１１による原稿の読取動作について説明する。まず、コントロールパネル５２によりスキャン開始あるいはコピー開始が指示されると、主制御部５１は、ＡＤＦ１０の原稿トレイ２１上に原稿が載置されているか否かを判断する。原稿トレイ２１上の原稿は、例えば、図示しないセンサにより検知され、スキャンＣＰＵ６１から原稿トレイ２１上の原稿の有無を示す情報が主制御部５１に通知される。
【００３２】
原稿トレイ２１上に原稿があると判断すると、主制御部５１は、スキャナＣＰＵ６１へＡＤＦ１０を用いたスキャン動作の開始を指示する。
【００３３】
主制御部５１からＡＤＦ１０を用いたスキャン動作の開始が指示されると、スキャナＣＰＵ６１は、ＡＤＦＣＰＵ７１に対して原稿トレイ２１上の原稿の搬送を指示する。すると、ＡＤＦＣＰＵ７１は、駆動機構７２によりピックアップローラ２２を駆動させ、原稿トレイ２１上に載置されている複数枚の原稿より最上部の原稿を１枚分離する。ピックアップローラ２２により分離された原稿は、給紙ローラ２４によりＡＤＦ１０内に取り込まれて搬送される。
【００３４】
給紙ローラ２４により取り込まれた原稿は、レジストローラ２６に到達したか否かがその直前にあるレジストスイッチ２５のオン・オフの状態で判断される。ＡＤＦＣＰＵ７１は、レジストスイッチ２５の検知状態を監視し、その検知結果をスキャナＣＰＵ６１へ通知する。スキャナＣＰＵ６１は、レジストスイッチ２５がオンになってから当該原稿を給紙する給紙タイミングをＡＤＦＣＰＵ７１に指定する。
【００３５】
ＡＤＦＣＰＵ７１は、スキャナＣＰＵ６１により指定されたタイミングに基づいて、駆動機構７２によりレジストローラ２６を回転させ、当該原稿の搬送を開始する。
【００３６】
スキャナＣＰＵ６１は、主制御部５１からＡＤＦ１０を用いたスキャン動作の開始が指示された際に、露光ランプ４５の点灯状態を制御するランプ点灯制御信号をオンとすることにより露光ランプ制御部６７にて露光ランプ４５を点灯させる。併せて、スキャナＣＰＵ６１は、スルーリードガラス２８を通して、第１、第２キャリッジ４１、４２を原稿の画像を読み取るための所定の原稿読取位置に移動させるようになっている。これにより、スキャナユニット１１本体は、ＡＤＦ１０により給紙される原稿の画像を読み取ることが可能な状態となる。
【００３７】
次に、ＡＤＦ１０内で搬送される原稿の読取時の動作について説明する。
【００３８】
原稿の給紙を開始する直前にシェーディング板３０の反射光量をＣＣＤセンサ４４により読み取る。次にスルーリードガラス２８の下で原稿の先端が来るまでのＡＤＦ１０の白原稿ガイド板２９の反射光量を読み取って、シェーディング板３０の反射光量との比較をする。これは原稿を多く搬送すればするほど、ＡＤＦ１０の白原稿ガイド板２９が汚れて白さが変化し、ＣＣＤセンサ４４の検出値が変わって正確に、後述する露光ランプの異常検知ができなくなる可能性がある。そこで、毎回、原稿の読み取り開始時に検出値を補正することを目的とするものである。更に、読み取り中の原稿と原稿の間と、最終原稿の後端が通過した後に、ＡＤＦ１０の白原稿ガイド板２９の反射光量を読み取ることで、より定期的に補正を行うこともできる。
【００３９】
さて、ＡＤＦ１０により原稿の搬送が開始されると、ＡＤＦＣＰＵ７１は、給紙する原稿のサイズを検知する原稿サイズ検知処理を開始する。この原稿サイズ検知処理は、後で詳細に説明するが、原稿の搬送を開始したタイミングとその原稿の後端が抜けるタイミングとにより当該原稿のサイズを検知するものである。つまり、原稿サイズ検知処理では、搬送開始からレジストスイッチ２５がオフになるまでの時間に基づいて原稿の搬送方向におけるサイズを判断する。
【００４０】
レジストローラ２６により搬送が開始された原稿の先端は、原稿の搬送速度とその搬送距離より求まる時間（原稿読取開始時間）を経過した際に、白原稿ガイド板２９が設けられている原稿読取位置へ到達する。ＡＤＦ１０における原稿の搬送速度が一定である場合、原稿の先端がレジストローラ２６から原稿読取位置に到達するまでの時間は、原稿のサイズによらず一定である。このため、原稿読取開始時間は一定であるものとする。
【００４１】
すなわち、スキャナＣＰＵ６１は、タイマ６１ａによりレジストローラ２６による原稿の搬送開始からの時間を計時し、所定の原稿読取開始時間が経過したか否かを判断する。この判断により読取開始時間が経過したと判断した際、スキャナＣＰＵ６１は、原稿読取位置における原稿の読み取り動作を開始する。
【００４２】
更に、スキャナＣＰＵ６１は、タイマ６１ａにより原稿の読取開始（あるいはレジストローラ２６による原稿の搬送開始）からの時間を計時し、原稿の後端が原稿読取位置を通過するまでの時間（原稿読取終了時間）が経過したか否かを判断する。この判断により原稿読取終了時間が経過したと判断した際、スキャナＣＰＵ６１は、原稿面の画像の読取を終了する。
【００４３】
原稿読取終了時間は、例えば、原稿サイズ検知処理で算出される原稿の搬送方向のサイズとＡＤＦ１０における原稿の搬送速度とに基づいて算出される。また、原稿読取終了時間は、原稿の後端がレジストローラ２６を通過してから原稿読取位置を通過するまでの時間として算出するようにしても良い。この場合、ＡＤＦ１０における原稿の搬送速度が一定であれば、原稿読取開始時間と同様、原稿の後端がレジストローラ２６を通過してから原稿読取位置に通過するまでの原稿読取終了時間は、原稿のサイズによらず一定である。
【００４４】
原稿読取位置での当該原稿に対する画像の読取を終了すると、スキャナＣＰＵ６１は、後述する露光ランプ４５の点灯状態を検知するランプ異常検知処理を行う。また、上記のような動作により読取が完了した各原稿は、順次排紙原稿トレイ上に排出される。
【００４５】
次に、原稿サイズ検知処理について説明する。
【００４６】
原稿サイズ検知処理が開始されると、スキャナＣＰＵ６１は、タイマ６１ａによりサイズ検知用の計時処理を開始する。すなわち、スキャナＣＰＵ６１は、レジストローラ２６により原稿の搬送を開始した際に、タイマ６１ａによりサイズ検知用のタイマをスタートさせる。
【００４７】
タイマ６１ａをスタートさせると、スキャナＣＰＵ６１は、レジストスイッチ２５がオフとなるまで上記タイマ６１ａによるサイズ検知用の計時処理を行う。つまり、ＡＤＦＣＰＵ７１を介してレジストスイッチ２５がオフとなった旨の通知を受けた際、スキャナＣＰＵ６１は、タイマ６１ａによるサイズ検知用のタイマをストップさせる。
【００４８】
サイズ検知用のタイマをストップさせた際、スキャナＣＰＵ６１は、サイズ検知用のタイマにより計時した時間とＡＤＦ１０における原稿の搬送速度とに基づいて原稿の搬送方向におけるサイズを算出する。ＡＤＦ１０における原稿の搬送速度は、例えば、ＲＯＭ６３に予め記憶されているものである。これにより、原稿サイズ検知処理では、少なくとも原稿の後端がレジストローラ２６（つまり、レジストスイッチ２５）を通過した際に原稿の搬送方向のサイズを検知する。したがって、サイズの異なる原稿が混載していた場合であっても、給紙された原稿の後端を知ることができる。原稿のないそのタイミングでは、ＡＤＦ１０の原稿搬送路にある白原稿ガイド板２９が白色のため、仮に露光ランプ４５が消えていればＣＣＤセンサ４４の出力信号により判断可能となる。
【００４９】
次に、露光ランプ４５の異常を検知するランプ異常検知処理について、図４を参照して説明する。
【００５０】
このランプ異常検知処理は、ＡＤＦ１０により順次搬送される各原稿の間で露光ランプ４５の点灯状態を検知するものである。
【００５１】
原稿の読み取りを行っていないときには、露光ランプは消灯し、連続して原稿読取が始まると、読み取り中は、露光ランプは点灯し続ける。
【００５２】
まず、上述したように、原稿の給紙を開始する直前にシェーディング板３０の反射光量をＣＣＤセンサ４４により読み取る。次にスルーリードガラス２８の下で原稿の先端が来るまでのＡＤＦ１０の白原稿ガイド板２９の反射光量を読み取って、シェーディング板３０の反射光量との比較をする。
【００５３】
このようにして、露光ランプを点灯する前の状態でのＣＣＤセンサの基準電圧を把握することにより、露光ランプが切れて消灯した場合のＣＣＤセンサ出力が把握できる。また、原稿が給紙される前の状態でのＣＣＤセンサの基準電圧を把握することにより、連続読取中の原稿と原稿の間でのＣＣＤセンサ出力、あるいは原稿の余白でのＣＣＤセンサ出力が把握できることになる。
【００５４】
図４において、まず、原稿と原稿の間であるかが判断される（ステップＳ４１）。次いで、原稿の余白であるか否かが判断される（ステップＳ４２）。ＹＥＳであれば、ＣＣＤセンサの読み取った信号レベルの良否が判断される（ステップＳ４３）。露光ランプが消えていると判断されると、ランプ制御信号(ＯＮ信号)との論理積がとられ、露光ランプ異常が判断される（ステップＳ４４）。
【００５５】
ランプ異常が確定したら（ステップＳ４５）、スキャナユニットはランプ制御信号をＯＦＦし読み取り動作を停止する（ステップＳ４６）。続いて、画像形成装置ヘエラー(サービスマンコール)が送信される（ステップＳ４７）。画像形成装置は、コントロールパネル上にサービスマンコールを表示し、画像形成装置のプリント動作を停止することでランプ異常を知らせる。
【００５６】
本発明によれば、露光ランプ異常の判別制御により、連続して原稿を読み取っている最中に、何らかのトラブルで露光ランプが消えてしまった場合、その異常を検知し動作を停止してエラー表示することで、ベタ黒コピーを排出しないようにすることができる。
【００５７】
本発明は上記した実施の形態に限定されることなく、特許請求の範囲に記載した発明の範囲内で、種々の変形が可能であり、それらも本発明の範囲内に含まれるものであることはいうまでもない。
【図面の簡単な説明】
【００５８】
【図１】本発明に係る画像読取装置を有するデジタル複写機の外観構成を示す外観図である。
【図２】ＡＤＦが設けられている画像読取装置の構成例を示す断面図である。
【図３】画像形成装置１内の制御系の構成を示すブロック図である。
【図４】ランプ異常検知処理の動作を説明するためのフローチャートである。
【符号の説明】
【００５９】
１０・・・ＡＤＦ、１１・・・スキャナユニット、２２・・・ピックアップローラ、２３・・・原稿検知スイッチ、２４・・・給紙ローラ、２５・・・レジストスイッチ、２６・・・レジストローラ、２７・・・補助ローラ、２８・・・スルーリードガラス、２９・・・白原稿ガイド板、３０・・・シェーディング板。
【図１】
2008109652.tif 000003
【図２】
2008109652.tif 000004
【図３】
2008109652.tif 000005
【図４】
2008109652.tif 000006